(57)【要約】      （修正有）【課題】使用者の経済的な負担を小さくでき、かつより快適さを実現可能な着衣内涼風装置を提供する。【解決手段】着衣内涼風装置１は、本体３と、ファンと、モータと、バッテリ９とを備えている。本体３は軸方向に延びる筒状をなして内部が羽根室とされている。ファンは羽根室内で回転可能に設けられている。モータは本体３に固定され、ファンを回転駆動可能としている。バッテリ９はモータに給電可能である。本体３には、複数の第１ループと蛇腹部３０とが設けられている。各第１ループは軸方向が上下を向くように使用者Ｍに装着可能となっている。蛇腹部３０は装着状態で羽根室の下端に固定され、先端に位置する吸入口を下端に対して任意の長さ及び角度の位置に配置できる。【選択図】図１
0003195731.tif 000002
【実用新案登録請求の範囲】
【請求項１】
軸方向に延びる筒状をなして内部が羽根室とされた本体と、
前記本体に前記羽根室内で回転可能に設けられたファンと、
前記本体に固定され、前記ファンを回転駆動可能なモータと、
前記モータに給電可能なバッテリとを備えた着衣内涼風装置であって、
前記本体には、前記軸方向が上下を向くように使用者に装着可能な本体装着部と、装着状態で前記羽根室の下端に固定され、先端に位置する吸入口を前記下端に対して任意の長さ及び角度で位置可能な蛇腹部とが設けられていることを特徴とする着衣内涼風装置。
【請求項２】
前記本体には、前記使用者の腰回りに沿って湾曲する当接部が設けられている請求項１記載の着衣内涼風装置。
【請求項３】
装着状態で前記羽根室の上端に位置する吐出口は前記使用者の横幅に長い横長形状である請求項２記載の着衣内涼風装置。
【請求項４】
前記本体装着部は、前記使用者が装着するベルトを挿通させる第１ループである請求項２又は３記載の着衣内涼風装置。
【請求項５】
前記バッテリには、前記ベルトを挿通させる第２ループが設けられている請求項４記載の着衣内涼風装置。
【請求項６】
前記本体には、香りを排気可能な芳香発生手段が取り付けられている請求項１乃至５のいずれか１項記載の着衣内涼風装置。
【請求項７】
前記本体には、特定周波数の振動を発振可能な振動発生手段が取り付けられている請求項１乃至５のいずれか１項記載の着衣内涼風装置。
【考案の詳細な説明】
【技術分野】
【０００１】
本考案は着衣内涼風装置に関する。
【背景技術】
【０００２】
特許文献１に空調服に用いられる涼風装置が開示されている。この涼風装置は、本体とファンとモータとバッテリとを備えている。本体は軸方向に延びる筒状をなして内部が羽根室とされている。ファンは羽根室内で回転可能に設けられている。モータは本体に固定され、ファンを回転駆動可能としている。バッテリはモータに給電可能としている。
【０００３】
この涼風装置は専用の服の開口に装備される。こうして、服と涼風装置とが一体化された空調服とされる。ここで、開口は服の背部に形成されているため、この空調服を使用者が着ると、涼風装置は本体の軸方向が水平を向くこととなる。そして、バッテリからモータに給電がなされると、本体の羽根室内でファンが回転駆動される。このため、空調服の外部の空気が服内に吸入され、開口等から外部に排出される。このため、使用者は、汗が気化され、涼しく感じる。このため、使用者は、例え暑い場所で作業中であっても、その作業を涼しく快適に行うことが可能である。
【先行技術文献】
【特許文献】
【０００４】
【特許文献１】特開２００５−１６４１９号公報
【考案の概要】
【考案が解決しようとする課題】
【０００５】
しかし、上記従来の涼風装置は専用の服だけに装備される。このため、作業によって多種類の服が求められる場合、その多種類の空調服が必要とされる。この場合、多種類の服によって涼風装置の使い回しができないことから、使用者にとっては経済的な負担が大きい。
【０００６】
また、この涼風装置は、空調服を着た使用者からすれば、本体の軸方向が水平を向いている。このため、水平方向に位置するモータを大型化し難く、服内に取り入れる空気量を増加し難い。このため、より過酷な場所で作業を行う必要がある使用者にとっては、さらなる快適さが求められる。
【０００７】
本考案は、上記従来の実情に鑑みてなされたものであって、使用者の経済的な負担を小さくでき、かつより快適さを実現可能な着衣内涼風装置を提供することを解決すべき課題としている。
【課題を解決するための手段】
【０００８】
本考案の着衣内涼風装置は、軸方向に延びる筒状をなして内部が羽根室とされた本体と、
前記本体に前記羽根室内で回転可能に設けられたファンと、
前記本体に固定され、前記ファンを回転駆動可能なモータと、
前記モータに給電可能なバッテリとを備えた着衣内涼風装置であって、
前記本体には、前記軸方向が上下を向くように使用者に装着可能な本体装着部と、装着状態で前記羽根室の下端に固定され、先端に位置する吸入口を前記下端に対して任意の長さ及び角度で位置可能な蛇腹部とが設けられていることを特徴とする。
【０００９】
本考案の着衣内涼風装置は、使用者がどのような服を着ていようとも、本体の本体装着部が使用者に装着可能である。そして、本体装着部が使用者に装着された状態で、バッテリからモータに給電がなされると、本体の羽根室内でファンが回転駆動される。このため、外部の空気が吸入口から蛇腹部内を通って羽根室に取り込まれ、羽根室から服内に吸入され、服の袖口や首回りから排出される。つまり、この着衣内涼風装置は、使用者が着る服を制限することなく使い回しが可能である。
【００１０】
また、この着衣内涼風装置では、本体の本体装着部は、軸方向が上下を向くように使用者に装着される。このため、モータが上下方向に位置するため、モータを大型化しても、使用者の邪魔になり難い。このため、服内に取り入れる空気量を増加し易い。
【００１１】
特に、この着衣内涼風装置は、装着状態で羽根室の下端に蛇腹部が固定されている。この蛇腹部は、先端に位置する吸入口を下端に対して任意の長さ及び角度で位置可能となっている。このため、使用者の着ている服の裾が例えば長くても、吸入口をその裾の下に位置させることが可能である。このため、使用者が着る服が制限されない。
【００１２】
したがって、本考案の着衣内涼風装置は、使用者の経済的な負担を小さくでき、かつより快適さを実現することが可能である。
【００１３】
本体には、使用者の腰回りに沿って湾曲する当接部が設けられていることが好ましい。この場合、当接部によって本体が使用者の腰回りに密着されるため、使用者が動きの激しい作業を行っても、使用者と着衣内涼風装置とがずれ難い。このため、使用者は、着衣内涼風装置を気にすることなく、種々の作業を行うことができる。
【００１４】
装着状態で羽根室の上端に位置する吐出口は使用者の横幅に長い横長形状であることが好ましい。この場合、吐出口から吐出される空気が服内全体に拡散し易くなり、使用者は、より一層作業を涼しく快適に行うことが可能である。
【００１５】
本体装着部は、使用者が装着するベルトを挿通させる第１ループであることが好ましい。この場合、第１ループにベルトを挿通させることにより、使用者は、作業環境に応じて自身の背中から腰にかけて任意の位置に本体を固定することができる。このため、使用者は着衣内涼風装置により作業の邪魔をされることがない。
【００１６】
バッテリには、ベルトを挿通させる第２ループが設けられていることが好ましい。この場合、第２ループにベルトを挿通させることにより、使用者は、作業環境に応じて自身の背中から腰にかけて任意の位置にバッテリを固定することができる。このため、使用者は着衣内涼風装置によりさらに作業の邪魔をされることがない。
【００１７】
本体には、香りを排気可能な芳香発生手段が取り付けられていることが好ましい。この場合、快適な香りや蚊を寄せ付けない香りを服内に充満させ、袖口や首回りから排出することができる。このため、自己の汗の匂いによる嫌悪感を防止することができる。また、蚊が使用者を刺すことを防止することもできる。芳香発生手段としては、檜生地フィルタや天然ハーブ香料を浸み込ませたガーゼのような生地を採用することができる。
【００１８】
本体には、特定周波数の振動を発振可能な振動発生手段が取り付けられていることも好ましい。この場合、振動発生手段が蚊等の昆虫を寄せ付けない周波数の振動を発振すれば、そのような昆虫が使用者を刺すことを防止することもできる。
【００１９】
本考案の着衣内涼風装置において、蛇腹部の先端の吸入口に網材を設けてもよい。また、吐出口に網材を設けてもよい。これらの場合、蚊等の昆虫が服内に進入することを防止することができる。この網材によって上記芳香発生手段を構成することも可能である。
【考案の効果】
【００２０】
本考案の着衣内涼風装置によれば、使用者の経済的な負担を小さくでき、かつより快適さを実現することが可能である。
【図面の簡単な説明】
【００２１】
【図１】図１は、実施例の着衣内涼風装置を使用者が装着時した状態を示す側面図である。
【図２】図２は、実施例の着衣内涼風装置の平面図である。
【図３】図３は、実施例の着衣内涼風装置の断面図である。
【図４】図４は、実施例の着衣内涼風装置に係り、蛇腹部、吸入口及び芳香剤の断面図である。
【考案を実施するための形態】
【００２２】
以下、本考案を具体化した実施例を図面を参照しつつ説明する。
【００２３】
（実施例）
図１及び図３に示すように、実施例の着衣内涼風装置１は、本体３と、ファン５と、モータ７と、バッテリ９とを備えている。
【００２４】
使用者Ｍは、図１に示すように、ベルト１３によって本体３及びバッテリ９を腰周りに装着し、その外側から白衣２を着ている。使用者Ｍが着衣内涼風装置１を装着している状態では、本体３の軸方向が上下方向を向いている。
【００２５】
図２及び図３に示すように、本体３は、軸方向に延びる筒状をなしている。本体３は、その中間部から下部にかけて円筒状をなし、その中間部から上部にかけて断面が横長形状である筒状をなしている。
【００２６】
本体３の内部が羽根室３Ａとされている。羽根室３Ａには、ファン５とモータ７とが収容されている。ファン５は羽根室３Ａ内で垂直に延びる回転軸７Ａ周りで回転可能に設けられている。モータ７は、羽根室３Ａ内に設けられたモータ支持部材３Ｂに支持され、本体３に固定されている。モータ７は、上下方向に長い円柱形状をなしている。モータ７には、その中心部から上方に突出する回転軸７Ａが設けられている。ファン５は、その中心部が回転軸７Ａの上端に固定され、回転軸７Ａと一体回転可能とされている。モータ７は、バッテリ９からの給電により、ファン５を回転駆動可能としている。
【００２７】
図２に示すように、本体３の外周面の一部には、装着状態において、使用者Ｍの腰周り側に突出する略箱型形状の当接部１１が設けられている。当接部１１は、使用者Ｍ側の腰周りに湾曲するとともに本体３側にも湾曲している。当接部１１の使用者Ｍ側の両端部には、使用者Ｍが装着するベルト１３を挿通させる複数の第１ループ１５がそれぞれ設けられている。各第１ループ１５は、本体３の軸方向が上下を向くように使用者Ｍに装着可能となっている。つまり、各第１ループ１５は、使用者Ｍが本体３を装着することにより、本体３の軸方向が上下を向くようになっている。各第１ループ１５は、本発明の本体装着部の一例である。
【００２８】
また、バッテリ９の両端側には、ベルト１３を挿通させる２個の第２ループ１７がそれぞれ設けられている。バッテリ９は、使用者Ｍの腹側に装着されている。バッテリ９の装着位置は、使用者Ｍの使用状況に合わせ、その腰周りで任意の位置に変更することが可能である。
【００２９】
図１及び図２に示すように、使用者Ｍは、各第１ループ１５、各第２ループ１７及び自己のズボンの各ベルト通し１９にベルト１３を挿通し、本体３及びバッテリ９を腰周りに密着させることができる。また、腰周りに巻くベルト１３とは別に、別途ベルトを用意すれば、本体３及びバッテリ９を背中周りで密着させることも可能である。
【００３０】
バッテリ９は、リード線２１によりモータ７と電気的に接続されている。また、図２に示すように、バッテリ９には、モータ７のＯＮ／ＯＦＦを切り替えるスイッチ２０が設けられている。こうして、バッテリ９は本体３内のモータ７に給電可能としている。なお、スイッチ２０は、モータ７の回転数の調整ができるようになっていてもよい。
【００３１】
図２及び図３に示すように、羽根室３Ａの上端には、上端を開口する吐出口３Ｃが設けられている。羽根室３Ａの下端には、下端を開口する連結口３Ｄが設けられている。吐出口３Ｃは、使用者Ｍの横幅に長い横長形状をなし、使用者Ｍ側に沿って湾曲している。連結口３Ｄは、円形状をなしている。吐出口３Ｃは、使用者Ｍが本体３を装着した状態で羽根室３Ａの上端に位置している。吐出口３Ｃ内には網材２２が嵌合されている。本体３の上端の外周面には、網材２２を外側から囲むように、面ファスナ２５が装着されている。
【００３２】
本体３の下端には、蛇腹部３０が設けられている。蛇腹部３０は、蛇腹が形成されたフレキシブルホースからなる。蛇腹部３０は、本体３の連結口３Ｃと同軸をなして円筒状に上方に延びるボス３０Ａを有している。ボス３０Ａの開口は、本体３の連結口３Ｄと同径をなして整合するようになっている。ボス３０Ａ内には網材２３が嵌合されている。
【００３３】
図３に示すように、蛇腹部３０は、装着状態で羽根室３Ａの下端に固定されている。より具体的には、蛇腹部３０のボス３０Ａの外周面には、面ファスナ４０のメス部材４０Ａが固定されている。また、羽根室３Ａの下端の外周面には、面ファスナ４０のメス部材４０Ｂが固定されている。蛇腹部３０のボス３０Ａと羽根室３Ａの下端とがメス部材４０Ａ、４０Ｂを介してオス部材４０Ｃによって外側から巻きつけられることにより固定されている。蛇腹部３０のボス３０Ａと羽根室３Ａの下端とは、オス部材４０Ｃの着脱によって、連結したり、外したりすることが可能になっている。
【００３４】
図４に示すように、蛇腹部３０の下端には、円筒状に下方に延びるボス３０Ｂを有している。ボス３０Ｂには、その下端に吸入口３０Ｃが設けられている。蛇腹部３０は、吸入口３０Ｃを本体３の羽根室３Ａの下端に対して、任意の長さ及び角度の位置に配置することができる。つまり、図１に示すように、蛇腹部３０は容易に撓むことから、使用者Ｍは、本体３を装着した状態で蛇腹部３０を湾曲させ、吸入口３０Ｃを白衣２の裾の下に位置させることができる。
【００３５】
吸入口３０Ｃ内にも網材２４が嵌合されている。蛇腹部３０のボス３０Ｂの外周面には、網材２４を外側から囲むように、面ファスナ２６が装着されている。この面ファスナ２６は白衣２の裾に装着可能である。
【００３６】
また、ボス３０Ｂ内には、網材２４の上側に檜生地フィルタ５０が取り付けられている。檜生地フィルタ５０は、蚊を寄せ付けない香りを排気する。檜生地フィルタ５０は、本発明の芳香発生手段の一例である。芳香発生手段としては、他に蚊を寄せ付けない香りを排気する天然ハーブ香料を浸み込ませたガーゼのような生地や、快適な香りを排気する芳香剤等を採用することができる。なお、檜生地フィルタ５０等を吐出口３Ｃの網材２２やボス３０Ａの網材２３に併せて取り付けすることができる。
【００３７】
また、檜生地フィルタ５０等に代えて、蚊等の昆虫を寄せ付けない特定周波数の振動を発振可能な振動発生装置を取り付けすることもできる。この振動発生装置は、本発明の振動発生手段の一例である。また、ファン５の回転時の音を蚊の嫌う音程に調整することも可能である。
【００３８】
この着衣内涼風装置１は以下のように使用される。まず、使用者Ｍが本体３の各第１ループ１５、バッテリ９の各第２ループ１７、自己のズボンの各ベルト通し１９にベルトを挿入し、自身の腰周りに本体３及びバッテリ９を装着する。次に、使用者Ｍは、本体３等を装着した状態で、その外側から白衣２を着る。また、使用者Ｍは、蛇腹部３０の吸入口３０Ｃを白衣２の裾から出し、任意の長さ及び角度で配置する。
【００３９】
そして、使用者Ｍがスイッチ２０をＯＮすれば、バッテリ９からモータ７に給電がなされる。そうすると、モータ７が駆動し、ファン５が回転する。これにより、外部の空気が、吸入口３０Ｃから本体３内に取り込まれ、蛇腹部３０、連結口３Ｄ、羽根室３Ａ及び吐出口３Ｃを経て、白衣２内に吐出され、白衣２の袖口や首回りから排出される。このため、使用者Ｍは、汗が気化され、涼しく感じる。このため、使用者Ｍは、例え暑い場所で作業中であっても、その作業を涼しく快適に行うことが可能である。
【００４０】
この実施例では使用者Ｍは白衣２を着ているが、この着衣内涼風装置１は、使用者Ｍがどのような服を着ていようとも、各第１ループ１５が使用者Ｍに装着可能となっている。このため、この着衣内涼風装置１は、使用者Ｍが着る服を制限することなく使い回しが可能である。
【００４１】
また、使用者Ｍは、各第１ループ１５及び各第２ループ１７にベルト１３を挿通させること等により、作業環境に応じて自身の背中から腰にかけて任意の位置に本体３を固定することができる。このため、使用者Ｍは着衣内涼風装置１により作業の邪魔をされることがない。
【００４２】
さらに、この着衣内涼風装置１では、各第１ループ１５は、モータ７の回転軸７Ａの軸方向が上下を向くように装着される。このため、モータ７が上下方向に位置するため、モータ７が大きくても、使用者Ｍの邪魔になり難い。このため、白衣２内に大量の空気を容易に取り入れることができる。
【００４３】
特に、この着衣内涼風装置１は、装着状態で羽根室３Ａの下端に蛇腹部３０が固定されている。この蛇腹部３０は、先端に位置する吸入口３０Ｃを下端に対して任意の長さ及び角度の位置に配置できる。このため、例えば、使用者Ｍの着ている服が白衣２のように裾が長いものであっても、吸入口３０Ｃをその裾の下に位置させることが可能である。このため、使用者Ｍが着る服は明らかに制限されない。
【００４４】
したがって、この着衣内涼風装置１は、使用者Ｍの経済的な負担を小さくでき、かつより快適さを実現することが可能である。
【００４５】
また、この着衣内涼風装置１では、本体３にの当接部１１が使用者Ｍの腰回りに沿っている。このため、本体３が使用者Ｍの腰回りに密着されるため、使用者Ｍが動きの激しい作業を行っても、使用者Ｍと着衣内涼風装置１とがずれ難い。このため、使用者Ｍは、着衣内涼風装置１を気にすることなく、種々の作業を行うことができる。
【００４６】
また、この着衣内涼風装置１では、吐出口３Ｃが使用者Ｍの横幅に長い横長形状をなしている。このため、吐出口３Ｃから吐出される空気が白衣２内全体に拡散し易く、使用者Ｍはより一層作業を涼しく快適に行うことが可能である。
【００４７】
また、この着衣内涼風装置１では、本体３の網材２４等に檜生地フィルタ５０等が取り付けられている。このため、快適かつ蚊を寄せ付けない香りを白衣２内に充満させ、袖口や首回りから排出することができる。このため、自己の汗の匂いによる嫌悪感を防止することができる。また、蚊が使用者Ｍを刺すことを防止することもできる。
【００４８】
以上において、本考案を実施例に即して説明したが、本考案は上記実施例に制限されるものではなく、その趣旨を逸脱しない範囲で適宜変更して適用できることはいうまでもない。
【００４９】
例えば、本実施例では、蛇腹部３０のボス３０Ａ内と羽根室３Ａの下端との固定する際、面ファスナ４０を採用しているが、これ以外に例えばネジ連結、粘着テープ等によって固定してもよい。
【００５０】
また、本実施例では、吐出口３Ｃの形状を横長形状としているが、吐出口３Ｃの形状を円形等にしてもよい。
【産業上の利用可能性】
【００５１】
本考案は種々の服を対象とした着衣内涼風装置に利用可能である。
【符号の説明】
【００５２】
１…着衣内涼風装置
３…本体
３Ａ…羽根室
３Ｃ…吐出口
５…ファン
７…モータ
９…バッテリ
１１…当接部
１３…ベルト
１５…第１ループ（本体装着部）
１７…第２ループ
３０…蛇腹部
３０Ｃ…吸入口
５０…檜生地フィルタ（芳香発生手段）、振動発生装置（振動発生手段）
Ｍ…使用者
【図１】
0003195731.tif 000003
【図２】
0003195731.tif 000004
【図３】
0003195731.tif 000005
【図４】
0003195731.tif 000006